(57)【要約】【課題】トンネルの内壁に取り付けられるような照明器具において、外部の雰囲気温度によらず、光源ランプの照度を維持し、照明効率を向上させる。【解決手段】器具本体２には、排気弁５が設けられ、器具本体２のシャーシ２ｂと蓋体２ｃをラッチ２ｈによって気密に閉塞した後、排気弁５からホンプなどによって器具本体２内部の空気を抜き、栓をすることによって内部を減圧または真空に保つことができる。このように器具本体２の内部を減圧または真空に構成することによって、器具本体２の外部の温度が変化してもランプ４に温度が伝達するのが抑えられ、ランプ４の特性を安定させることができる。また、ランプ４が点灯することによって生じるランプ４本体の発熱による器具本体２内部の温度の上昇も抑制することができるため、ランプ４の特性が安定する。【選択図】  図１
2004259668.tif 000002
【特許請求の範囲】
【請求項１】
開口部を有するシャーシおよび開口部に配設され透光性カバーを含んで構成される開口カバーからなり、内部を負圧または真空に保持する器具本体と；
器具本体内に配設された光源ランプと；を具備したことを特徴とする密閉型照明器具。
【請求項２】
光源ランプは、蛍光ランプであることを特徴とする請求項１の密閉型照明器具。
【請求項３】
トンネル内に設けられた取付部と；前記取付部に設けられた請求項１または２記載の密閉型照明器具と；を具備していることを特徴とするトンネル用照明器具。
【発明の詳細な説明】
【０００１】
【発明の属する技術分野】本発明は密閉型照明器具およびトンネル照明器具に関する。
【０００２】
【従来の技術】従来、トンネル用照明器具においては、光源としては、例えば低圧ナトリウムランプや蛍光ランプなどがよく知られており、その長手方向が道路の通行方向に沿うように配置されている。そして、比較的少数の照明器具によって、主として路面を効率よくかつ、その通行方向に沿ってなるべく連続する一様な明るさで照明できるように設計されている。そうして、近年では長手方向により効率よく照明するために光源に比較的長い蛍光ランプを用いる照明器具が用いられる。
【０００３】
しかしながら、蛍光ランプは周囲温度によって効率が異なることが知られている。例えば、周囲温度が２０〜２５℃において最高光束が出るが、周囲温度が高いときや低い時ではランプ光束が非常に低下する。特に、トンネル照明器具のように屋外で用いられる器具においては、周囲温度の影響を受けやすく、ランプ効率が変化しやすいという問題があった。
【０００４】
特に、トンネル照明器具は、内部が気密に密閉されているため、内部に収納しているランプや安定器からの発熱によって内部が高温となりやすく、ランプの温度も上昇してランプの効率が低下することがあった。このため、あらかじめ周囲温度が４０〜５０℃のときに効率がもっとも高くなるように調整した蛍光ランプを使用する（特開平１０−３０８１０９号公報）などのことが考えられている。
【０００５】
また、トンネル照明は室外で用いられさらに環境の厳しい場所に設置するため寒冷地のように周囲温度の低い場所に設置され、ランプの効率が低下することもある。このため、実公昭６３−３３３２１号公報には、蛍光ランプの温度が維持できるように温度維持手段を備えた蛍光灯器具として、実公昭６３−３３３２１号公報の図６のように温度が低いときには反射板の裏側に設けられたヒータによって蛍光灯を加熱する蛍光灯器具（従来例）が開示されている。
【０００６】
【特許文献１】特開平１０−３０８１０９号公報
【０００７】
【特許文献２】実公昭６３−３３３２１号公報  図６
【０００８】
【発明が解決しようとする課題】しかしながら、従来例のような蛍光灯器具では、器具が開放されているので、ヒータによってランプを過熱しても加熱しすぎることは少なく制御しやすいものであるが、トンネル照明器具のように、密閉型の器具であると、ランプが点灯するとすぐに器具内部の温度が上昇しやすい。このため、ランプを点灯させた場合にヒータを通電させることにより、すぐに内部の温度が上昇して、逆に高温となりランプ光束が低減してしまう問題があった。
【０００９】
そこで、本発明は、周囲温度によらずに照明効率を維持することのできる照明装置およびトンネル照明装置を提供することを目的とする。
【００１０】
【課題を解決するための手段】請求項１の発明の密閉型照明器具は、開口部を有するシャーシおよび開口部に配設され透光性カバーを含んで構成される開口カバーからなり、内部を負圧または真空に保持する器具本体と；器具本体内に配設された光源と；を具備している。
【００１１】
本発明および以下の各発明において、特に指定しない限り、用語の定義および技術的な意味は次による。
【００１２】
器具本体は、開口部を有するシャーシおよび開口部に配設され透光性カバーを含んで構成される開口カバーにて構成される。透光性カバーは、強化ガラスおよびポリカーボネイト等の乳白色または透光性プラスチックによって形成される。
また、透光性カバーは外面および内面のいずれか一方または両方に、光制御用の手段たとえばプリズム、レンズまたは光拡散用の多数の凸部または凹部などを形成してもよい。また、透光性カバーの外表面に光触媒機能を有する酸化チタンなどの薄膜を塗布することもできる。また、開口カバーのすべてを透光性カバーにて構成することも許容する。また、シャーシの一部またはすべてを透光性部材で構成することも許容する。
【００１３】
そうして、器具本体の内部が負圧または真空となるように気密に保持される。
内部は、少なくともこの密閉型照明器具が取り付けられる周囲よりも内圧が低くなるように、器具本体に排気弁を設け、器具を密閉した後に排気弁から空気を排気させるようにするなどして内部の圧力を保持する。
【００１４】
光源ランプは、蛍光ランプ、メタルハライドランプおよび高圧ナトリウムランプなどの高圧放電ランプ、無電極放電ランプのような放電ランプを許容する。光源ランプは、器具本体内に収納され、要すれば光源ランプの光を効果的に反射する反射体を器具本体内に備えることも許容する。
【００１５】
本発明によれば、器具の内部が負圧または真空に保持されているため、器具の外部の温度が器具内部の空気によって熱伝導するのを抑制することができ、さらにランプを点灯させたときでも、ランプの発熱によって器具内部の空気の上昇を抑えることができ、ランプ周囲の温度が上昇するのを抑制できる。このため、器具外部の温度やランプ自身の発熱に寄らずランプ周囲の温度をほぼ一定とすることができ、ランプの効率が低下させることなく安定した特性で点灯することができる。
【００１６】
請求項２の発明は請求項１の密閉型照明器具であって、光源ランプは、蛍光ランプであることを特徴とする。
【００１７】
本発明によれば、周囲温度の影響によって光束が変化しやすい蛍光ランプを用いていても、外部の温度の影響を受けることが少ないので、蛍光ランプを安定した効率で点灯させることできる。
【００１８】
請求項３のトンネル用照明器具は、トンネル内に設けられた取付部と；前記取付部に設けられた請求項１または２記載の密閉型照明器具と；を具備している。
【００１９】
本発明によれば、特に、トンネルのように外部の温度変化が起こりやすい場所に取り付けられた照明器具であっても請求項１または２の効果を奏するトンネル用照明装置を提供することができる。
【００２０】
【発明の実施の形態】本発明の第一の実施形態であるトンネル用照明器具のを図を参照して説明する。なお、これらの図中、同一または相当部分には同一符号を付して、重複した説明の記載は省略または簡略化している。
【００２１】
図１は本発明の実施形態に係る例えばトンネル用の照明器具１の正面図、図２は同じく照明器具の断面図である。この図１および図２に示すように照明器具１は、例えばステンレス製等の密閉形の器具本体２内に、その投光開口に対向するように反射体３を配設し、この反射体３に光学的に対向するように屈曲形蛍光ランプ４を配設している。
【００２２】
上記器具本体２は、例えばＪＩＳ  Ｃ８１４０で規定する防噴流用器具本体等の密閉形に構成されており、如何なる方向からの水の直接噴流を受けても有害な影響が出ないように構成されており、複数の取付脚２ａ，２ａ，…を備えたシャーシ２ｂの投光開口端に、パッキン２ｃを介してほぼ長方形の投光開口を有する蓋体２ｄを装着し、この蓋体２ｄの投光開口に透光性カバー２ｅを水密かつ気密に嵌合させ、シリコン系等の接着剤２ｆにより固着している。
【００２３】
蓋体２ｃは、ヒンジ２ｇによりシャーシ２ｂに開閉可能に取り付けられ、ヒンジ２ｆの反対側にシャーシ２ｂに設けられたラッチ２ｈによって閉塞された状態が保持される。このとき、蓋体２ｃによる閉塞縁はパッキンにより水気や粉塵が浸入しないような処理が施されている。また、透光性カバー２ｅには、透明なガラス板が使用されている。
シャーシ２ｂの各取付脚２ａには、ネジ穴２ｅ１が形成されており、このネジ穴２ｅ１を利用してトンネル内壁６などに設けられたステー等の取り付け装置６ａにネジ止めによって固定される。２ｉは、防水コネクタで器具の内部への配線を通しながら気密を保つ構造をしている。
【００２４】
そして、このように構成された器具本体２内部には、主反射体３を配設している。主反射体３は長手方向横断面が凹弧面をなす内面を細長い反射面に形成している。なお、主反射面の長手方向横断面の形状は、凹状であればよく、曲面状、平面の組合せまたは曲面と平面の組合せ等どのような形状であってもよい。但し、長手方向に亘ってその主たる部分が同じ断面形状になっていることが好ましい。また、反射面は鏡面または梨地などに仕上げられており設置場所などに応じて所望の配光が得られるような形状をなしている。
【００２５】
さらに、主反射体３の内側には、屈曲形蛍光ランプ４を配設している。屈曲形蛍光ランプ４は、その軸方向一端側に設けられた片口金４ａをランプソケットに嵌め込むことで固定されている。
【００２６】
屈曲形蛍光ランプ４は、ガラス製等の放電容器、蛍光体層、一対の電極、片口金４ａ等により構成されている。放電容器は、ソーダライムガラス、鉛ガラス等の軟質ガラスや硬質ガラス、石英ガラス等の例えば１本のガラス製円管を一平面上でＵ字状に折曲して１本のＵ字状放電路を形成しており、一対の管状部４ｂ，４ｂおよび連結部４ｃを有し、１つの連続放電路の両端をフレアステムによって封止して軸方向一端部に片口金４ａを形成している。したがって、これら管状部４ｂ，４ｂと連結部４ｃは一平面上に形成されている。このように形成された屈曲形蛍光ランプ４においては、その最冷部は屈曲された連結部４ｃの下面に形成されやすい。
【００２７】
そして器具本体２には、排気弁５が設けられ、器具本体２のシャーシ２ｂと蓋体２ｃをラッチ２ｈによって気密に閉塞した後、排気弁５からポンプなどによって器具本体２内部の空気を抜き、栓をすることによって内部を減圧または真空に保つことができる。
【００２８】
このように器具本体２の内部を減圧または真空に構成することによって、器具本体２の外部の温度が変化してもランプ４に温度が伝達するのが抑えられ、ランプ４の特性を安定させることができる。また、ランプ４が点灯することによって生じるランプ４本体の発熱による器具本体２内部の温度の上昇も抑制することができるため、ランプ４の特性が安定する。
【００２９】
次に、本発明の第二の実施形態である道路灯になどに用いられる照明器具について、図を参照して説明する。図１は本実施形態に係る道路灯になどに用いられる照明器具１０を下から見た斜視図である。
【００３０】
１０は直線形ポール用の道路灯であり、道路灯１は、開口カバー１０１と、シャーシ１０２から器具本体１００が構成される。開口カバー１０１は、アルミダイキャストで形成された開口カバー部１０３および透光性カバー１０４を備えて、直線形ポール３０の上側に取付けられている。開口カバー部１０３には、排気弁５０が備えられ、透光性カバー１０４の縁部と開口カバー部１０３の照射開口縁部の間にはゴム製のパッキン（図示しない）が設けられている。そうして、シャーシ１０２の下側開口面と開口カバー１０１の上側開口面がパッキン（図示しない）を介して接合され、内部を密閉している。
【００３１】
器具本体１０内部には、光源ランプ２０として水銀ランプがソケット（図示しない）を介して配設されている。
【００３２】
本実施形態によれば、ラッチ装置１０５によって、シャーシ１０２と開口カバー１０３を気密に閉塞したのち、排気弁５０から器具本体１００の空気を抜くことによって内部を減圧または真空に保持している。
【００３３】
このように構成することによって、器具の外部の温度が器具内部の空気用によって熱伝導するのを抑制することができ、さらにランプを点灯させたときでも、ランプの発熱によって器具内部の空気の上昇を抑えることができ、ランプ周囲の温度が上昇するのを抑制できる。このため、器具外部の温度やランプ自身の発熱に寄らずランプ周囲の温度を安定させることができ、ランプの効率が低下させることなく点灯することができる。
【００３４】
【発明の効果】請求項１の発明によれば、器具の外部の温度が器具内部の空気用によって熱伝導するのを抑制することができ、さらにランプを点灯させたときでも、ランプの発熱によって器具内部の空気の上昇を抑えることができ、ランプ周囲の温度が上昇するのを抑制できる。このため、器具外部の温度やランプ自身の発熱に寄らずランプ周囲の温度を安定させることができ、ランプの効率が低下させることなく点灯することができる。
【００３５】
請求項２の発明によれば、周囲温度の影響によって光束が変化しやすい蛍光ランプを用いていても、器具本体が外部の温度の影響を少ないので、安定した効率で点灯させることできる。
【００３６】
請求項３の発明によれば、特に、トンネルのように外部の温度変化が起こりやすい場所に取り付けられた照明器具であっても請求項１または２の効果を奏するトンネル用照明装置を提供することができる。
【図面の簡単な説明】
【図１】本発明の第１の実施形態のトンネル用照明器具の正面図。
【図２】同じく断面図。
【図３】発明の第二の実施形態道路灯になどに用いられる照明器具を下から見た斜視図。
【符号の説明】
１…トンネル照明装置、  ２…器具本体  ３…主反射体  ４…光源ランプ（屈曲形蛍光ランプ）  ５…排気弁
【図１】
2004259668.tif 000003
【図２】
2004259668.tif 000004
【図３】
2004259668.tif 000005